(57)【要約】【課題】複数の加熱または冷却を行う調理部を備える調理装置において、各調理部の時々刻々に変化する温度情報に応じて、適した調理部をユーザに提示する仕組みを提供すること。【解決手段】おすすめ判定部１０７は、記憶部１０６から取得した選択条件情報および温度検知部１０５から取得した温度状態情報をもとに、複数の調理部の中から調理設定情報を調理するのに適した調理部をおすすめすべき調理部として決定し、おすすめ提示部１０８は、ユーザにおすすめすべき調理部を提示する。【選択図】図１
2014175288.tif 000002
【特許請求の範囲】
【請求項１】
調理対象物に冷却または加熱を行う調理部と、
前記調理部を用いて調理対象物を調理するための調理設定情報を受け付ける入力受付部と、
前記調理部の温度状態を検知する温度検知部と、
前記調理設定情報及び前記温度検知部で検知される温度状態に基づいて、前記複数の調理部の中から前記調理設定情報に関する調理を実行するのに適した調理部を決定するおすすめ判定部と、
前記おすすめ判定部により決定された調理部を報知するおすすめ提示部と、
を備える調理装置。
【請求項２】
前記おすすめ判定部は、前記調理設定情報、前記温度検知部で検知される温度状態とともに前記複数の調理部に対する各々の調理能力である調理能力情報に基づいて、前記複数の調理部の中から前記調理設定情報に関する調理を実行するのに適した調理部を決定する、請求項１記載の調理装置。
【請求項３】
前記おすすめ提示部は、前記おすすめ判定部により決定された調理部を報知すると同時に、前記おすすめ判定部が決定した理由または根拠を示すおすすめ理由情報を報知する、
請求項１または２記載の調理装置。
【請求項４】
前記入力受付部が受け付ける調理設定情報は、外部端末から送信されるものとする請求項１乃至３のいずれか１項に記載の調理装置。
【請求項５】
前記おすすめ提示部が報知する前記おすすめ判定部により決定された調理部の情報を、外部端末に送信して、外部端末上で報知するものとする請求項１乃至４のいずれか１項に記載の調理装置。
【発明の詳細な説明】
【技術分野】
【０００１】
本発明は、複数の調理部を有する調理機器において、よりユーザの用途に合致した調理部をおすすめ提示する技術に関する。
【背景技術】
【０００２】
複数の加熱手段において実行可能な調理条件情報を保持し、指令された設定調理条件を実行するのに適した加熱手段を調理条件情報に基づいて、複数の加熱手段の中から選択して表示する加熱調理装置があった（例えば、特許文献１参照）。
【先行技術文献】
【特許文献】
【０００３】
【特許文献１】特開２００５−２０７６６７号公報
【発明の概要】
【発明が解決しようとする課題】
【０００４】
しかしながら、上記従来の構成では、調理条件情報として加熱手段の性能に応じて定められる高火力や標準火力などの情報を用い、設定調理条件としてユーザが調理操作を行う際に加熱手段に設定する加熱時間や加熱温度などの情報を用いることを前提としており、加熱調理装置に加熱手段が組み込まれた際に固定的に決定される情報およびユーザが調理操作を行う際に固定的に決定される条件を用いてユーザの用途に適した加熱手段をおすすめしていたため、指令された設定調理条件によってより早く調理を実行するような条件が設定された場合に、調理条件情報としての加熱手段が高火力か標準火力であるかのみに基づいて適した加熱手段を選択してしまう。例えば、標準火力の加熱手段自体の温度が高温になっている状態では、高火力の加熱手段で調理するより、標準火力の加熱手段で調理するほうが早く調理できる場合もあり、むしろより調理時間がかかる加熱手段を選択してしまうことがある。すなわち、上記従来の構成では、固定的に決定されない時々刻々に変化する加熱手段の温度に基づいておすすめすることはできなかったため、ユーザの意図に反して、加熱手段の状態によっては適さない加熱手段をおすすめしてしまうことがあるという課題を有していた。
【０００５】
本発明は、前記従来の課題を解決するもので、加熱または冷却を行う調理機器において、加熱または冷却を行う調理部の時々刻々に変化する温度情報をもとに、よりユーザの用途に適した調理部のおすすめ提示を行うことを目的とする。
【課題を解決するための手段】
【０００６】
前記従来の課題を解決するために、本発明の調理装置は、調理対象物に冷却または加熱を行う調理部と、前記調理部を用いて調理対象物を調理するための調理設定情報を受け付ける入力受付部と、前記調理部の温度状態を検知する温度検知部と、前記調理設定情報及び前記温度検知部で検知される温度状態に基づいて、前記複数の調理部の中から前記調理設定情報に関する調理を実行するのに適した調理部を決定するおすすめ判定部と、前記おすすめ判定部により決定された調理部を報知するおすすめ提示部と、を備える。
【０００７】
これにより、加熱または冷却を行う調理部の時々刻々に変化する調理部の温度情報をもとに、よりユーザの用途に適した調理部を決定し、ユーザにおすすめ提示することができる。
【発明の効果】
【０００８】
本発明の調理装置は、調理部の状態をもとに、ユーザが調理しようとしているレシピなどの調理内容により適した調理部をユーザにおすすめ提示することで、ユーザがレシピの表示より短時間で調理したり、よりレシピの火力通りに調理したりできるような仕組みを提供することができる。
【図面の簡単な説明】
【０００９】
【図１】本発明の実施の形態１および２における調理装置の構成を示すブロック図
【図２】本発明の実施の形態１における調理装置の制御フローを示す図
【図３】本発明の実施の形態２における調理装置の制御フローを示す図
【図４】本発明の実施の形態１における選択条件情報の一例を概念的に示した図
【図５】本発明の実施の形態２における選択条件情報の一例を概念的に示した図
【図６】本発明の実施の形態３におけるおすすめ理由情報の一例を概念的に示した図
【図７】本発明の実施の形態３における「早く調理」の場合のおすすめ理由の提示の一例を概念的に示す図
【図８】本発明の実施の形態３における「おいしく調理」の場合のおすすめ理由の提示の一例を概念的に示す図
【発明を実施するための形態】
【００１０】
第１の発明は、おすすめ判定部が、入力受付部で受け付けた調理設定情報と温度検知部で検知した各調理部の温度状態をもとに、調理に適した調理部をおすすめ提示する調理装置である。
【００１１】
これによって、加熱または冷却を行う調理部の時々刻々に変化する調理部の温度状態をもとにユーザの用途により合致した調理部のおすすめ提示ができる。
【００１２】
第２の発明は、特に、第１の発明において、おすすめ判定部が、入力受付部で受け付けた調理設定情報と温度検知部で検知した各調理部の温度状態とに加え、さらに調理部の調理能力情報をもとに、調理に適した調理部をおすすめ提示するものである。
【００１３】
これによって、第１の発明に加え、調理部の調理能力を鑑みた、ユーザの用途により合致した調理部のおすすめ提示ができる。
【００１４】
第３の発明は、特に、第１から第２のいずれか１つの発明において、適した調理部をユーザに提示するのに伴い、適した調理部を決定した理由または根拠であるおすすめ理由情報を同時にユーザに提示するものである。
【００１５】
これによって、おすすめ提示の際に、ユーザは、おすすめ理由をもとにユーザの用途におすすめされた調理部が合致しているか否かを確認し、納得した上で調理部を使用できる。
【００１６】
第４の発明は、特に、第１から第３のいずれか１つの発明において、入力受付部が受け付ける調理設定情報は、外部端末から送信されるものとするものである。
【００１７】
これによって、ユーザは、遠隔地から外部端末を操作することによって、調理装置を操作して、おすすめ提示を利用することができる。
【００１８】
第５の発明は、特に、第１から第４のいずれか１つの発明において、おすすめ提示部が報知するおすすめ判定部により決定された調理部の情報を、外部端末に送信して、外部端末上で報知するものである。
【００１９】
これによって、ユーザは、遠隔地から外部端末を用いて、おすすめされた調理部を確認することができる。
【００２０】
以下、本発明の実施の形態について、図面を参照しながら説明する。なお、この実施の形態によって本発明が限定されるものではない。
【００２１】
（実施の形態１）
図１は、本発明の実施の形態１における調理装置の構成を示すブロック図を示すものである。
【００２２】
図１において、調理装置１１は、調理部１０１ａ、調理部１０１ｂ、入力受付部１０２、制御部１０３、使用検知部１０４、温度検知部１０５、記憶部１０６、おすすめ判定部１０７、おすすめ提示部１０８、を備えている。
【００２３】
調理部１０１ａ、調理部１０１ｂは、加熱または冷却を行うことができる調理装置であり、本図では２つの調理部が存在する場合の例である。
【００２４】
調理装置１１は、例えば、ガスコンロや電磁調理器などであり、例えば、電磁調理器の場合では、調理部１０１ａや調理部１０１ｂは、電磁調理器上に複数配置されている個別の加熱装置に該当し、例えば、電磁調理器上に左右の２つの加熱装置であるコンロが存在する場合は、例えば、左コンロが調理部１０１ａ、右コンロが調理部１０１ｂに該当するか、左コンロが調理部１０１ｂ、右コンロが調理部１０１ａに該当するか、のいずれかを想定している。
【００２５】
調理部１０１ａ、調理部１０１ｂは、使用検知部１０４から指示を受けた場合に、現在の各調理部が調理可能か否かを示す使用状態情報を使用検知部１０４に送出する。調理部１０１ａ、調理部１０１ｂは、温度検知部１０５から指示を受けた場合に、現在の各調理部の温度状態を示す温度状態情報を温度検知部１０５に送出する。
【００２６】
入力受付部１０２は、調理対象物を調理するための調理設定情報の入力を受け付ける。入力受付部は、受け付けた調理設定情報をおすすめ判定部１０７に送出する。
【００２７】
おすすめ判定部１０７は、入力受付部１０２から調理設定情報を受け付けることを契機に、各調理部の使用状態情報を取得要求の命令を使用検知部１０４に送出し、使用検知部１０４から使用状態情報を取得する。
【００２８】
さらに、おすすめ判定部１０７は、使用状態情報をもとに、すべての調理部が調理不可能の場合には調理不可能であることをユーザに提示する旨の提示情報をおすすめ提示部１０８に送出し、調理可能な調理部が１つのみの場合には唯一調理可能な調理部で調理することをユーザに提示する旨の提示情報をおすすめ提示部１０８に送出し、調理可能な調理部が複数存在する場合には各調理部の温度状態情報を取得要求の命令を温度検知部１０５に送出し、温度検知部から温度状態情報を取得する。
【００２９】
記憶部１０６は、温度状態情報をもとに複数の調理部の中から調理設定情報を調理するのに適した調理部を選択するための選択条件を定義した選択条件情報を保持している。
【００３０】
さらに、おすすめ判定部１０７は、記憶部１０６から選択条件情報を取得し、調理設定情報および温度状態情報をもとに、選択条件情報に従って、複数の調理部の中から調理設定情報を調理するのに適した調理部を判定し、ユーザにおすすめすべき調理部を決定し、おすすめすべき調理部がいずれであるかを提示情報としておすすめ提示部１０８に送出す
る。
【００３１】
おすすめ提示部１０８は、おすすめ判定部１０７から取得した提示情報の内容に従い、ユーザに対し、調理不可能、または、唯一調理可能な調理部を提示、または、おすすめすべき調理部を提示する。
【００３２】
おすすめ提示部１０８にて、おすすめすべき調理部を提示されたユーザが実際に調理操作を行う場合は、ユーザは、入力受付部１０２を通して、調理開始したい調理部を指定することで調理開始の指示を行い、入力受付部１０２から制御部１０３に調理開始命令を送出し、制御部１０３がユーザの指定に従い、調理部１０１ａ、調理部１０１ｂのいずれかの調理部を調理開始する。
【００３３】
かかる構成によれば、調理装置１１は、おすすめ判定部１０７が、各調理部の温度状態をもとに、複数の調理部の中から調理設定情報を調理するのに適した調理部を判定し、おすすめ提示部１０８によって、ユーザに対しおすすめすべき調理部がいずれであるかの情報を提示できる。
【００３４】
これによって、ユーザが調理操作を行う際に固定的に決定される調理設定情報だけでなく、固定的に決定されない時々刻々に変化する調理部の温度をもとにユーザに対し調理部のおすすめ提示することが可能となる。
【００３５】
図２は、本発明の実施の形態１における調理装置の制御フローを示す図である。
【００３６】
図２において、まず、入力受付部１０２は、調理対象物を調理するための各種情報である調理設定情報の入力を受け付け、受け付けた調理設定情報をおすすめ判定部１０７に送出する（Ｓ１００１）。
【００３７】
記憶部１０６は、調理設定情報および各調理部の温度状態情報をもとに、複数の調理部の中から調理設定情報を調理するのに適した調理部を選択するための選択条件情報を保持している。
【００３８】
次に、おすすめ判定部１０７は、使用検知部１０４に対し、各調理部の使用状態情報を取得要求する命令を送出する。この命令を契機に、使用検知部１０４は、調理部１０１ａ、調理部１０１ｂのそれぞれが調理可能か否かの状態を検知し、この状態を使用状態情報としておすすめ判定部１０７に送出する。おすすめ判定部１０７は、使用検知部１０４から取得した使用状態情報をもとに、調理可能でない調理部（空き調理部）が存在するか否かを判定し、空き調理部が存在する場合はステップＳ１０１２に進み、空き調理部が存在しない場合はステップＳ１０５３に進む（Ｓ１０１１）。
【００３９】
ステップＳ１０１１において、空き調理部が存在しないと判定された場合は、おすすめ判定部１０７は、空き調理部が存在しない旨を提示情報としておすすめ提示部１０８に通知し、おすすめ提示部１０８は、ユーザに対し、すべての調理部が調理可能でないため調理不可能である旨を提示し（ステップＳ１０５３）、処理を終了する。
【００４０】
ステップＳ１０１１において、空き調理部が存在する場合においては、おすすめ判定部１０７は、使用検知部１０４から取得した使用状態情報をもとに、空き調理部が２個以上存在するか否かを判定し、空き調理部が２個以上存在する場合はステップＳ１０１３に進み、空き調理部が２個以上存在しない（１つのみ存在する）場合はステップＳ１０５２に進む（Ｓ１０１２）。
【００４１】
ステップＳ１０１２において、空き調理部が２個以上存在しない（１つのみ存在する）場合においては、おすすめ判定部１０７は、１つのみ存在する唯一の空き調理部でのみ調理可能である旨を提示情報としておすすめ提示部１０８に通知し、おすすめ提示部１０８は、ユーザに対し、１つのみ存在する唯一の空き調理部でのみ調理可能である旨を提示し（ステップＳ１０５２）、処理を終了する。
【００４２】
ステップＳ１０１２において、空き調理部が２個以上存在する場合においては、おすすめ判定部１０７は、温度検知部１０５に対し、各調理部の温度状態情報を取得要求する命令を送出する。この指示を契機に、温度検知部１０５は、調理部１０１ａ、調理部１０１ｂの温度を調べ、これら各調理部の温度である温度状態情報をおすすめ判定部１０７に送出する。おすすめ判定部１０７は、温度検知部１０５から取得した温度状態情報をもとに、複数存在する空き調理部の温度の間に違いがあるか否かを判定し、すべての空き調理部の温度に違いがない場合（空き調理部の温度がすべて同一の場合）はステップＳ１０４２に進み、いずれかの空き調理部の温度の間に違いがある場合はステップＳ１０２５に進む（Ｓ１０１３）。
【００４３】
ステップＳ１０１３において、いずれかの空き調理部の温度の間に違いがある場合においては、おすすめ判定部１０７は、記憶部１０６から選択条件情報を取得し、選択条件情報に従って、調理設定情報で示された調理が高温である調理部のほうがより適切に調理できると判断できる場合はステップＳ１０３６に進み、調理設定情報で示された調理が高温である調理部のほうがより適切に調理できると判断できない場合はステップＳ１０２６に進む（Ｓ１０２５）。
【００４４】
ステップＳ１０２５において、調理設定情報で示された調理が高温である調理部のほうがより適切に調理できると判断できない場合においては、おすすめ判定部１０７は、選択条件情報に従って、調理設定情報で示された調理が低温である調理部のほうがより適切に調理できると判断できる場合はステップＳ１０３７に進み、調理設定情報で示された調理が低温である調理部のほうがより適切に調理できると判断できない場合はステップＳ１０３８に進む（Ｓ１０２６）。
【００４５】
ステップＳ１０２５において、調理設定情報で示された調理が高温である調理部のほうがより適切に調理できると判断できる場合においては、おすすめ判定部１０７は、温度条件情報において高温のほうの空き調理部を選択し、この空き調理部がおすすめすべき調理部である旨を提示情報として確定する（Ｓ１０３６）。
【００４６】
ステップＳ１０２６において、調理設定情報で示された調理が低温である調理部のほうがより適切に調理できると判断できる場合においては、おすすめ判定部１０７は、温度条件情報において低温のほうの空き調理部を選択し、この空き調理部がおすすめすべき調理部である旨を提示情報として確定する（Ｓ１０３７）。
【００４７】
ステップＳ１０２６において、調理設定情報で示された調理が低温である調理部のほうがより適切に調理できると判断できない場合においては、おすすめ判定部１０７は、調理が適切に行えるか否かは温度に依存しないため、いずれの調理部でも調理が適切に行えるか否かについての差はないと判断し、空き調理部のうち、あらかじめ固定的に決められた任意の調理部を選択し、この空き調理部がおすすめすべき調理部である旨を提示情報として確定する（Ｓ１０３８）。
【００４８】
ステップＳ１０１３において、複数存在する空き調理部の温度の間に違いがあるか否かを判定し、すべての空き調理部の温度に違いがない場合においては、おすすめ判定部１０７は、記憶部１０６から選択条件情報を取得し、選択条件情報に従って、調理部に温度差
がないため、いずれの調理部でも調理が適切に行えるか否かについての差はないと判断し、空き調理部のうち、あらかじめ固定的に決められた任意の調理部を選択し、この空き調理部がおすすめすべき調理部である旨を提示情報として確定する（Ｓ１０４２）。
【００４９】
ステップＳ１０３６、Ｓ１０３７、Ｓ１０３８、Ｓ１０４２において、提示情報が確定された後に、提示情報が示す各々のステップで選択されたおすすめすべき調理部をユーザに提示し（Ｓ１０５１）、処理を終了する。
【００５０】
図４は、本発明の実施の形態１における、ステップＳ１０１３、ステップＳ１０２５、ステップＳ１０２６において、用いられる選択条件情報の一例を概念的に示した図である。
【００５１】
具体的には、図４全体を示す選択条件情報１０００１は、選択条件情報からおすすめすべき調理部を選択するために必要な入力情報となる調理設定情報に相当する情報を記した図形領域１１００１と、調理設定情報および温度状態情報をもとにした出力情報となるべき温度状態情報に基づいたおすすめ条件に相当する情報を記した図形領域１１００２とによって構成されている。
【００５２】
さらに、本例では、調理設定情報は２種類のものが存在し、図形領域１１００１は、それら調理設定情報の各情報である、調理のメニュー名を示す図形領域１２０００、および、メニュー名に対する調理をどのようにおすすめすべきかを示すおすすめ目的である図形領域１３０００とによって構成されている。
【００５３】
さらに、本例では、メニュー名は２種類のものが存在し、図形領域１２０００は、それらメニュー名の各情報である図形領域１２１００、図形領域１２２００の２つの領域で構成されており、本例では、これらはそれぞれ、「ハンバーグ」と「玉子焼き」としている。
【００５４】
さらに、本例では、各メニュー名に対するおすすめ目的は１種類のものが存在し、図形領域１３０００は、各メニュー名に対するおすすめ目的である図形領域１３１０１、図形領域１３２０１の２つの領域で構成されており、本例では、これらはともに、なるだけ早く調理できる調理部をおすすめすることであるという意味の「早く調理」のみがおすすめ目的として用意されているものとしている。
【００５５】
一方、図形領域１１００２は、おすすめ条件である、いずれかの空き調理部の温度の間に違いがある場合（以降、「温度が違う」場合と記載する）を示す図形領域１６０００、および、すべての空き調理部の温度に違いがない場合（空き調理部の温度がすべて同一の場合）（以降、「温度が同じ」場合と記載する）を示す図形領域１８０００とによって構成されている。
【００５６】
さらに、図形領域１６０００は、「温度が違う」場合において、各メニュー名とそのおすすめ目的に対する具体的なおすすめすべき調理部を一意に決定するための条件を示す情報である図形領域１６１０１、図形領域１６２０１で構成されている。
【００５７】
さらに、図形領域１８０００は、「温度が同じ」場合において、各メニュー名とそのおすすめ目的に対する具体的なおすすめすべき調理部を一意に決定するための条件を示す情報である図形領域１８１０１、図形領域１８２０１で構成されている。
【００５８】
図形領域１６１０１、図形領域１６２０１、図形領域１８１０１、図形領域１８２０１で示されているおすすめすべき調理部の情報はそれぞれ、「高温」は２つの調理部のうち
より高温であるほうの調理部、「低温」は２つの調理部のうちより低温であるほうの調理部、「任意」は２つの調理部のうち任意の調理部、であることを意味している。「任意」の場合に選択する調理部は、どちらの調理部でもよくあらかじめ固定的に保持している特定の調理部でよく、例えば、「任意」の場合は調理部１０１ａを固定的に選択するようにしておくか、調理部１０１ｂを固定的に選択するようにしておくことで一意に特定できるようにしておけばよい。
【００５９】
例として、調理設定情報としてメニュー名「玉子焼き」、かつ、おすすめ目的「早く調理」が指定された場合をもとに、具体的な処理内容と合わせて以下に説明する。
【００６０】
ステップＳ１０１３において、おすすめ判定部１０７が、温度検知部１０５から取得した温度状態情報をもとに、すべての空き調理部の温度に違いがない（空き調理部の温度がすべて同一）であると判定した場合は、「温度が同じ」場合に相当し、ステップＳ１０４２に進む。
【００６１】
ステップＳ１０４２は、「温度が同じ」場合に相当するため、おすすめ判定部１０７は、記憶部１０６から選択条件情報を取得し、選択条件情報１０００１の図形領域１８２０１の情報である「任意」に従って、空き調理部のうち、あらかじめ固定的に決められた任意の調理部を選択し、この空き調理部がおすすめすべき調理部である旨を提示情報として確定し、ステップＳ１０５１に進む。
【００６２】
ステップＳ１０２５は、ステップＳ１０１３において、おすすめ判定部１０７が、温度検知部１０５から取得した温度状態情報をもとに、いずれかの空き調理部の温度の間に違いがあると判定した場合であるので、「温度が違う」場合に相当し、おすすめ判定部１０７は、記憶部１０６から選択条件情報を取得し、選択条件情報１０００１の図形領域１６２０１の「低温」に従い、調理設定情報で示された調理が高温である調理部のほうがより適切に調理できると判断できないため、ステップＳ１０２６に進む。
【００６３】
ステップＳ１０２６は、ステップＳ１０２５と同様に「温度が違う」場合に相当し、おすすめ判定部１０７は、選択条件情報１０００１の図形領域１６２０１の「低温」に従い、調理設定情報で示された調理が低温である調理部のほうがより適切に調理できると判断し、ステップＳ１０３７に進む。
【００６４】
ステップＳ１０３７は、選択条件情報１０００１の図形領域１６２０１の情報である「低温」に従って、温度条件情報において低温のほうの空き調理部を選択し、この空き調理部がおすすめすべき調理部である旨を提示情報として確定し、ステップＳ１０５１に進む。
【００６５】
ステップＳ１０５１は、ステップＳ１０３７、ステップＳ１０４２のいずれかが確定した提示情報をもとに、各ステップで選択されたおすすめすべき調理部をユーザに提示する。
【００６６】
以上により、加熱または冷却を行う調理部の時々刻々に変化する調理部の温度状態をもとにユーザの用途により合致した調理部のおすすめ提示が可能となる。
【００６７】
（実施の形態２）
本発明の実施の形態２における調理装置の構成は図１に示した実施の形態１における調理装置の構成とまったく同じであるため、以下では、実施の形態１と同様に図１を用いて実施の形態２についても説明する。
【００６８】
以降では、実施の形態１において説明した図１における構成についての説明は実施の形態２でもまったく同じ内容であるため割愛する。
【００６９】
調理部１０１ａ、調理部１０１ｂは、加熱または冷却を行うことができる調理装置であり、本図では２つの調理部が存在する場合の例である。調理部１０１ａ、調理部１０１ｂは、使用検知部１０４から指示を受けた場合に、現在の各調理部が調理可能か否かを示す使用状態情報を使用検知部１０４に送出する。調理部１０１ａ、調理部１０１ｂは、温度検知部１０５から指示を受けた場合に、現在の各調理部の温度状態を示す温度状態情報を温度検知部１０５に送出する。
【００７０】
入力受付部１０２は、調理対象物を調理するための調理設定情報の入力を受け付ける。入力受付部は、受け付けた調理設定情報をおすすめ判定部１０７に送出する。
【００７１】
おすすめ判定部１０７は、入力受付部１０２から調理設定情報を受け付けることを契機に、各調理部の使用状態情報を取得要求の命令を使用検知部１０４に送出し、使用検知部１０４から使用状態情報を取得する。
【００７２】
さらに、おすすめ判定部１０７は、使用状態情報をもとに、すべての調理部が調理不可能の場合には調理不可能であることをユーザに提示する旨の提示情報をおすすめ提示部１０８に送出し、調理可能な調理部が１つのみ場合には唯一調理可能な調理部で調理することをユーザに提示する旨の提示情報をおすすめ提示部１０８に送出し、調理可能な調理部が複数存在する場合には各調理部の温度状態情報を取得要求の命令を温度検知部１０５に送出し、温度検知部から温度状態情報を取得する。
【００７３】
記憶部１０６は、温度状態情報をもとに複数の調理部の中から調理設定情報を調理するのに適した調理部を選択するための選択条件を定義した選択条件情報および複数の調理部に対する各々の調理能力である調理能力情報を保持している。
【００７４】
さらに、おすすめ判定部１０７は、記憶部１０６から選択条件情報および調理能力情報を取得し、調理設定情報および温度状態情報および調理能力情報をもとに、選択条件情報に従って、複数の調理部の中から調理設定情報を調理するのに適した調理部を判定し、ユーザにおすすめすべき調理部を決定し、おすすめすべき調理部がいずれであるかを提示情報としておすすめ提示部１０８に送出する。
【００７５】
おすすめ提示部１０８は、おすすめ判定部１０７から取得した提示情報の内容に従い、ユーザに対し、調理不可能、または、唯一調理可能な調理部を提示、または、おすすめすべき調理部を提示する。
【００７６】
おすすめ提示部１０８にて、おすすめすべき調理部を提示されたユーザが実際に調理操作を行う場合は、ユーザは、入力受付部１０２を通して、調理開始したい調理部を指定することで調理開始の指示を行い、入力受付部１０２から制御部１０３に調理開始命令を送出し、制御部１０３がユーザの指定に従い、調理部１０１ａ、調理部１０１ｂのいずれかの調理部を調理開始する。
【００７７】
かかる構成によれば、調理装置１１は、おすすめ判定部１０７が、各調理部の温度状態および調理能力をもとに、複数の調理部の中から調理設定情報を調理するのに適した調理部を判定し、おすすめ提示部１０８によって、ユーザに対しおすすめすべき調理部がいずれであるかの情報を提示できる。
【００７８】
これによって、実施の形態１に加え、さらに、調理部の調理能力を鑑みた、ユーザの用
途により合致した調理部のおすすめ提示することが可能となる。
【００７９】
図３は、本発明の実施の形態２における調理装置の制御フローを示す図である。
【００８０】
図３において、まず、入力受付部１０２は、調理対象物を調理するための各種情報である調理設定情報の入力を受け付け、受け付けた調理設定情報をおすすめ判定部１０７に送出する（Ｓ２００１）。
【００８１】
記憶部１０６は、調理設定情報および各調理部の温度状態情報をもとに、複数の調理部の中から調理設定情報を調理するのに適した調理部を選択するための選択条件情報を保持している。また、記憶部１０６は、複数の調理部に対する各々の調理能力である調理能力情報を保持している。
【００８２】
以降では、本願の実施の形態２では、説明を簡略化するために、調理能力情報は各々の調理部の最高出力値とした場合を例として説明する。
【００８３】
次に、おすすめ判定部１０７は、使用検知部１０４に対し、各調理部の使用状態情報を取得要求する命令を送出する。この命令を契機に、使用検知部１０４は、調理部１０１ａ、調理部１０１ｂのそれぞれが調理可能か否かの状態を検知し、この状態を使用状態情報としておすすめ判定部１０７に送出する。おすすめ判定部１０７は、使用検知部１０４から取得した使用状態情報をもとに、調理可能でない調理部（空き調理部）が存在するか否かを判定し、空き調理部が存在する場合はステップＳ２０１２に進み、空き調理部が存在しない場合はステップＳ２０５３に進む（Ｓ２０１１）。
【００８４】
ステップＳ２０１１において、空き調理部が存在しない場合においては、おすすめ判定部１０７は、空き調理部が存在しない旨を提示情報としておすすめ提示部１０８に通知し、おすすめ提示部１０８は、ユーザに対し、すべての調理部が調理可能でないため調理不可能である旨を提示し（ステップＳ２０５３）、処理を終了する。
【００８５】
ステップＳ２０１１において、空き調理部が存在する場合においては、おすすめ判定部１０７は、使用検知部１０４から取得した使用状態情報をもとに、空き調理部が２個以上存在するか否かを判定し、空き調理部が２個以上存在する場合はステップＳ２０１３に進み、空き調理部が２個以上存在しない（１つのみ存在する）場合はステップＳ２０５２に進む（Ｓ２０１２）。
【００８６】
ステップＳ２０１２において、空き調理部が２個以上存在しない（１つのみ存在する）場合においては、おすすめ判定部１０７は、１つのみ存在する唯一の空き調理部でのみ調理可能である旨を提示情報としておすすめ提示部１０８に通知し、おすすめ提示部１０８は、ユーザに対し、１つのみ存在する唯一の空き調理部でのみ調理可能である旨を提示し（ステップＳ２０５２）、処理を終了する。
【００８７】
ステップＳ２０１２において、空き調理部が２個以上存在する場合においては、おすすめ判定部１０７は、温度検知部１０５に対し、各調理部の温度状態情報を取得要求する命令を送出する。この指示を契機に、温度検知部１０５は、調理部１０１ａ、調理部１０１ｂの温度を調べ、これら各調理部の温度である温度状態情報をおすすめ判定部１０７に送出する。おすすめ判定部１０７は、温度検知部１０５から取得した温度状態情報をもとに、複数存在する空き調理部の温度の間に違いがあるか否かを判定し、すべての空き調理部の温度に違いがない場合（空き調理部の温度がすべて同一の場合）はステップＳ２０１５に進み、いずれかの空き調理部の温度の間に違いがある場合はステップＳ２０１４に進む（Ｓ２０１３）。
【００８８】
以降、本願の実施の形態２では、実施の形態１と同様に、説明を簡略化するために、ユーザに対し、調理対象物をより適切に調理できる調理部をおすすめする場合、すなわち、選択条件情報が調理設定情報および温度状態情報をもとに、一意に調理対象物をより適切に調理できる調理部を決定できるような情報を定義かつ保持している場合を例として説明する。
【００８９】
ステップＳ２０１３において、いずれかの空き調理部の温度の間に違いがある場合においては、おすすめ判定部１０７は、記憶部１０６から調理能力情報を取得し、記憶部１０６からから取得した調理能力情報をもとに、複数存在する空き調理部の調理能力である最高出力値の間に違いがあるか否かを判定し、すべての空き調理部の最高出力値に違いがない場合（空き調理部の最高出力値がすべて同一の場合）はステップＳ２０２５に進み、いずれかの空き調理部の最高出力値の間に違いがある場合はステップＳ２０２１に進む（Ｓ２０１４）。
【００９０】
ステップＳ２０１４において、いずれかの空き調理部の最高出力値の間に違いがある場合においては、おすすめ判定部１０７は、記憶部１０６から選択条件情報を取得し、選択条件情報に従って、調理設定情報で示された調理が高温かつ最高出力値が高出力である調理部のほうがより適切に調理できると判断できる場合はステップＳ２０３１に進み、調理設定情報で示された調理が高温かつ最高出力値が高出力である調理部のほうがより適切に調理できると判断できない場合はステップＳ２０２２に進む（Ｓ２０２１）。
【００９１】
ステップＳ２０２１において、調理設定情報で示された調理が高温かつ最高出力値が高出力である調理部のほうがより適切に調理できると判断できない場合においては、おすすめ判定部１０７は、選択条件情報に従って、調理設定情報で示された調理が高温かつ最高出力値が低出力である調理部のほうがより適切に調理できると判断できる場合はステップＳ２０３２に進み、調理設定情報で示された調理が高温かつ最高出力値が低出力である調理部のほうがより適切に調理できると判断できない場合はステップＳ２０２３に進む（Ｓ２０２２）。
【００９２】
ステップＳ２０２２において、調理設定情報で示された調理が高温かつ最高出力値が低出力である調理部のほうがより適切に調理できると判断できない場合においては、おすすめ判定部１０７は、選択条件情報に従って、調理設定情報で示された調理が低温かつ最高出力値が高出力である調理部のほうがより適切に調理できると判断できる場合はステップＳ２０３３に進み、調理設定情報で示された調理が低温かつ最高出力値が高出力である調理部のほうがより適切に調理できると判断できない場合はステップＳ２０２４に進む（Ｓ２０２３）。
【００９３】
ステップＳ２０２３において、調理設定情報で示された調理が低温かつ最高出力値が高出力である調理部のほうがより適切に調理できると判断できない場合においては、おすすめ判定部１０７は、選択条件情報に従って、調理設定情報で示された調理が低温かつ最高出力値が低出力である調理部のほうがより適切に調理できると判断できる場合はステップＳ２０３４に進み、調理設定情報で示された調理が低温かつ最高出力値が低出力である調理部のほうがより適切に調理できると判断できない場合はステップＳ２０３５に進む（Ｓ２０２４）。
【００９４】
ステップＳ２０１４において、すべての空き調理部の最高出力値に違いがない場合（空き調理部の最高出力値がすべて同一の場合）においては、おすすめ判定部１０７は、記憶部１０６から選択条件情報を取得し、選択条件情報に従って、調理設定情報で示された調理が高温である調理部のほうがより適切に調理できると判断できる場合はステップＳ２０
３６に進み、調理設定情報で示された調理が高温である調理部のほうがより適切に調理できると判断できない場合はステップＳ２０２６に進む（Ｓ２０２５）。
【００９５】
ステップＳ２０２５において、調理設定情報で示された調理が高温である調理部のほうがより適切に調理できると判断できない場合においては、おすすめ判定部１０７は、選択条件情報に従って、調理設定情報で示された調理が低温である調理部のほうがより適切に調理できると判断できる場合はステップＳ２０３７に進み、調理設定情報で示された調理が低温である調理部のほうがより適切に調理できると判断できない場合はステップＳ２０３８に進む（Ｓ２０２６）。
【００９６】
ステップＳ２０１３において、すべての空き調理部の温度に違いがない場合（空き調理部の温度がすべて同一の場合）においては、おすすめ判定部１０７は、記憶部１０６から調理能力情報を取得し、記憶部１０６からから取得した調理能力情報をもとに、複数存在する空き調理部の調理能力である最高出力値の間に違いがあるか否かを判定し、すべての空き調理部の最高出力値に違いがない場合（空き調理部の最高出力値がすべて同一の場合）はステップＳ２０４２に進み、いずれかの空き調理部の最高出力値の間に違いがある場合はステップＳ２０２７に進む（Ｓ２０１５）。
【００９７】
ステップＳ２０１５において、いずれかの空き調理部の最高出力値の間に違いがある場合においては、おすすめ判定部１０７は、記憶部１０６から選択条件情報を取得し、選択条件情報に従って、調理設定情報で示された調理が最高出力値が高出力である調理部のほうがより適切に調理できると判断できる場合はステップＳ２０３９に進み、調理設定情報で示された調理が最高出力値が高出力である調理部のほうがより適切に調理できると判断できない場合はステップＳ２０２８に進む（Ｓ２０２７）。
【００９８】
ステップＳ２０２７において、調理設定情報で示された調理が最高出力値が高出力である調理部のほうがより適切に調理できると判断できない場合においては、おすすめ判定部１０７は、選択条件情報に従って、調理設定情報で示された調理が最高出力値が低出力である調理部のほうがより適切に調理できると判断できる場合はステップＳ２０４０に進み、調理設定情報で示された調理が最高出力値が低出力である調理部のほうがより適切に調理できると判断できない場合はステップＳ２０４１に進む（Ｓ２０２８）。
【００９９】
ステップＳ２０２１において、調理設定情報で示された調理が高温かつ最高出力値が高出力である調理部のほうがより適切に調理できると判断できる場合においては、おすすめ判定部１０７は、温度条件情報において高温のほうであり、かつ、調理能力情報において最高出力値が高出力のほうである空き調理部を選択し、この空き調理部がおすすめすべき調理部である旨を提示情報として確定する（Ｓ２０３１）。
【０１００】
ステップＳ２０２２において、調理設定情報で示された調理が高温かつ最高出力値が低出力である調理部のほうがより適切に調理できると判断できる場合においては、おすすめ判定部１０７は、温度条件情報において高温のほうであり、かつ、調理能力情報において最高出力値が低出力のほうである空き調理部を選択し、この空き調理部がおすすめすべき調理部である旨を提示情報として確定する（Ｓ２０３２）。
【０１０１】
ステップＳ２０２３において、調理設定情報で示された調理が低温かつ最高出力値が高出力である調理部のほうがより適切に調理できると判断できる場合においては、おすすめ判定部１０７は、温度条件情報において低温のほうであり、かつ、調理能力情報において最高出力値が高出力のほうである空き調理部を選択し、この空き調理部がおすすめすべき調理部である旨を提示情報として確定する（Ｓ２０３３）。
【０１０２】
ステップＳ２０２４において、調理設定情報で示された調理が低温かつ最高出力値が低出力である調理部のほうがより適切に調理できると判断できる場合においては、おすすめ判定部１０７は、温度条件情報において低温のほうであり、かつ、調理能力情報において最高出力値が低出力のほうである空き調理部を選択し、この空き調理部がおすすめすべき調理部である旨を提示情報として確定する（Ｓ２０３４）。
【０１０３】
ステップＳ２０２４において、調理設定情報で示された調理が低温かつ最高出力値が低出力である調理部のほうがより適切に調理できると判断できない場合においては、おすすめ判定部１０７は、調理が適切に行えるか否かは温度および最高出力値に依存しないため、いずれの調理部でも調理が適切に行えるか否かについての差がない判断し、空き調理部のうち、あらかじめ固定的に決められた任意の調理部を選択し、この空き調理部がおすすめすべき調理部である旨を提示情報として確定する（Ｓ２０３５）。
【０１０４】
ステップＳ２０２５において、調理設定情報で示された調理が高温である調理部のほうがより適切に調理できると判断できる場合においては、おすすめ判定部１０７は、温度条件情報において高温のほうの空き調理部を選択し、この空き調理部がおすすめすべき調理部である旨を提示情報として確定する（Ｓ２０３６）。
【０１０５】
ステップＳ２０２６において、調理設定情報で示された調理が低温である調理部のほうがより適切に調理できると判断できる場合においては、おすすめ判定部１０７は、温度条件情報において低温のほうの空き調理部を選択し、この空き調理部がおすすめすべき調理部である旨を提示情報として確定する（Ｓ２０３７）。
【０１０６】
ステップＳ２０２６において、調理設定情報で示された調理が低温である調理部のほうがより適切に調理できると判断できない場合においては、おすすめ判定部１０７は、調理が適切に行えるか否かは温度に依存しないため、いずれの調理部でも調理が適切に行えるか否かについての差はないと判断し、空き調理部のうち、あらかじめ固定的に決められた任意の調理部を選択し、この空き調理部がおすすめすべき調理部である旨を提示情報として確定する（Ｓ２０３８）。
【０１０７】
ステップＳ２０２７において、調理設定情報で示された調理が最高出力値が高出力である調理部のほうがより適切に調理できると判断できる場合においては、おすすめ判定部１０７は、調理能力情報において最高出力値が高出力のほうである空き調理部を選択し、この空き調理部がおすすめすべき調理部である旨を提示情報として確定する（Ｓ２０３９）。
【０１０８】
ステップＳ２０２８において、調理設定情報で示された調理が最高出力値が低出力である調理部のほうがより適切に調理できると判断できる場合においては、おすすめ判定部１０７は、調理能力情報において最高出力値が低出力のほうである空き調理部を選択し、この空き調理部がおすすめすべき調理部である旨を提示情報として確定する（Ｓ２０４０）。
【０１０９】
ステップＳ２０２８において、調理設定情報で示された調理が最高出力値が低出力である調理部のほうがより適切に調理できると判断できない場合においては、おすすめ判定部１０７は、調理が適切に行えるか否かは最高出力値に依存しないため、いずれの調理部でも調理が適切に行えるか否かについての差はないと判断し、空き調理部のうち、あらかじめ固定的に決められた任意の調理部を選択し、この空き調理部がおすすめすべき調理部である旨を提示情報として確定する（Ｓ２０４１）。
【０１１０】
ステップＳ２０１５において、すべての空き調理部の最高出力値に違いがない場合（空
き調理部の最高出力値がすべて同一の場合）においては、おすすめ判定部１０７は、記憶部１０６から選択条件情報を取得し、選択条件情報に従って、調理部に温度および最高出力値のどちらも差がないため、いずれの調理部でも調理が適切に行えるか否かについての差はないと判断し、空き調理部のうち、あらかじめ固定的に決められた任意の調理部を選択し、この空き調理部がおすすめすべき調理部である旨を提示情報として確定する（Ｓ２０４２）。
【０１１１】
ステップＳ２０３１、Ｓ２０３２、Ｓ２０３３、Ｓ２０３４、Ｓ２０３５、Ｓ２０３６、Ｓ２０３７、Ｓ２０３８、Ｓ２０３９、Ｓ２０４０、Ｓ２０４１、Ｓ２０４２において、提示情報が確定された後に、提示情報が示す各々のステップで選択されたおすすめすべき調理部をユーザに提示し（Ｓ２０５１）、処理を終了する。
【０１１２】
図５は、本発明の実施の形態２における、ステップＳ２０１３、ステップＳ２０１４、ステップＳ２０１５、ステップＳ２０２１、ステップＳ２０２２、ステップＳ２０２３、ステップＳ２０２４、ステップＳ２０２５、ステップＳ２０２６、ステップＳ２０２７、ステップＳ２０２８において、用いられる選択条件情報の一例を概念的に示した図である。
【０１１３】
具体的には、図５全体を示す選択条件情報２０００１は、実施の形態１の説明にて紹介した図４に示した選択条件情報１０００１と同様に、選択条件情報からおすすめすべき調理部を選択するために必要な入力情報となる調理設定情報に相当する情報と、調理設定情報および温度状態情報をもとにした出力情報となるべき温度状態情報に基づいたおすすめ条件に相当する情報とによって構成されている。
【０１１４】
さらに、本例では、図４と同様に、調理設定情報は２種類のものが存在し、調理のメニュー名、および、メニュー名に対する調理をどのようにおすすめすべきかを示すおすすめ目的とによって構成されている。
【０１１５】
さらに、本例では、図４と同様に、メニュー名は２種類のものが存在し、それぞれ、「ハンバーグ」と「玉子焼き」が存在し、各メニュー名は図形領域２２１００、図形領域２２２００で構成されている。
【０１１６】
さらに、本例では、図４とは異なり、各メニュー名に対するおすすめ目的は２種類のものが存在し、各メニュー名に対するおすすめ目的の情報全体を示す図形領域２３０００は、メニュー名「ハンバーグ」に対するおすすめ目的である図形領域２３１１０、図形領域２３１２０の２つの領域、および、メニュー名「玉子焼き」に対するおすすめ目的である図形領域２３２１０、図形領域２３２２０の２つの領域の計４つの領域で構成されており、本例では、図形領域２３１１０、図形領域２３２１０は、なるだけ早く調理できる調理部をおすすめすることであるという意味の「早く調理」とし、図形領域２３１２０、図形領域２３２２０は、なるだけおいしく調理できる調理部をおすすめすることであるという意味の「おいしく調理」としている。
【０１１７】
一方、図４とは異なり、おすすめ条件は、いずれかの空き調理部の温度および最高出力値の間に違いがある場合（以降、「温度と最高出力値がともに違う」場合と記載する）、かつ、空き調理部のうち高温の空き調理部が最高出力値が高出力である（すなわち、低温の空き調理部が最高出力値が低出力である）場合（以降、「高温＝高出力かつ低温＝低出力」の場合と記載する）を示す図形領域２５０００、および、「温度と最高出力値がともに違う」場合、かつ、空き調理部のうち高温の空き調理部が最高出力値が低出力である（すなわち、低温の空き調理部が最高出力値が高出力である）場合（以降、「高温＝低出力かつ低温＝高出力」の場合と記載する）を示す図形領域２６０００、および、空き調理部
の最高出力値がすべて同じであり、いずれかの空き調理部の温度の間に違いがある場合（以降、「温度のみが違う」場合と記載する）を示す図形領域２７０００、および、空き調理部の温度がすべて同じであり、いずれかの空き調理部の最高出力値の間に違いがある場合（以降、「最高出力値のみが違う」場合と記載する）を示す図形領域２８０００、および、空き調理部の温度と最高出力値がすべて同じである場合（以降、「温度も最高出力値も同じ」場合と記載する）を示す図形領域２９０００とによって構成されている。
【０１１８】
さらに、図形領域２５０００は、「温度と最高出力値がともに違う」場合、かつ、「高温＝高出力かつ低温＝低出力」の場合において、各メニュー名とそのおすすめ目的に対する具体的なおすすめすべき調理部を一意に決定するための条件であるおすすめ条件を示す情報である図形領域２４１１０、図形領域２４１２０、図形領域２４２１０、図形領域２４２２０で構成されている。
【０１１９】
さらに、図形領域２６０００は、「温度と最高出力値がともに違う」場合、かつ、「高温＝低出力かつ低温＝高出力」の場合において、各メニュー名とそのおすすめ目的に対する具体的なおすすめすべき調理部を一意に決定するための条件であるおすすめ条件を示す情報である図形領域２５１１０、図形領域２５１２０、図形領域２５２１０、図形領域２５２２０で構成されている。
【０１２０】
さらに、図形領域２７０００は、「温度が違う」場合において、各メニュー名とそのおすすめ目的に対する具体的なおすすめすべき調理部を一意に決定するための条件であるおすすめ条件を示す情報である図形領域２６１１０、図形領域２６１２０、図形領域２６２１０、図形領域２６２２０で構成されている。
【０１２１】
さらに、図形領域２８０００は、「最高出力値が違う」場合において、各メニュー名とそのおすすめ目的に対する具体的なおすすめすべき調理部を一意に決定するための条件であるおすすめ条件を示す情報である図形領域２７１１０、図形領域２７１２０、図形領域２７２１０、図形領域２７２２０で構成されている。
【０１２２】
さらに、図形領域２８０００は、「温度も最高出力値も同じ」場合において、各メニュー名とそのおすすめ目的に対する具体的なおすすめすべき調理部を一意に決定するための条件であるおすすめ条件を示す情報である図形領域２８１１０、図形領域２８１２０、図形領域２８２１０、図形領域２８２２０で構成されている。
【０１２３】
図形領域２４１１０、図形領域２４１２０、図形領域２４２１０、図形領域２４２２０、図形領域２５１１０、図形領域２５１２０、図形領域２５２１０、図形領域２５２２０、図形領域２６１１０、図形領域２６１２０、図形領域２６２１０、図形領域２６２２０、図形領域２７１１０、図形領域２７１２０、図形領域２７２１０、図形領域２７２２０、図形領域２８１１０、図形領域２８１２０、図形領域２８２１０、図形領域２８２２０で示されているおすすめ条件はそれぞれ、「高温＆高出力」は２つの調理部のうち高温かつ最高出力値が高出力であるほうの調理部、「高温＆低出力」は２つの調理部のうち高温かつ最高出力値が低出力であるほうの調理部、「低温＆高出力」は２つの調理部のうち低温かつ最高出力値が高出力であるほうの調理部、「低温＆低出力」は２つの調理部のうち低温かつ最高出力値が低出力であるほうの調理部、であることを意味している。
【０１２４】
また、「高温」は２つの調理部のうちより高温であるほうの調理部、「低温」は２つの調理部のうちより低温であるほうの調理部、「高出力」は２つの調理部のうち最高出力値がより高出力であるほうの調理部、「低出力」は２つの調理部のうち最高出力値がより低出力であるほうの調理部、「任意」は２つの調理部のうち任意の調理部、であることを意味している。
【０１２５】
「任意」の場合に選択する調理部は、どちらの調理部でもよくあらかじめ固定的に保持している特定の調理部でよく、例えば、「任意」の場合は調理部１０１ａを固定的に選択するようにしておくか、調理部１０１ｂを固定的に選択するようにしておくことで一意に特定できるようにしておけばよい。
【０１２６】
例として、調理設定情報として、まず、メニュー名「玉子焼き」、かつ、おすすめ目的「おいしく調理」が指定された場合をもとに、具体的な処理内容と合わせて以下に説明する。
【０１２７】
ステップＳ２０１３において、おすすめ判定部１０７が、温度検知部１０５から取得した温度状態情報をもとに、すべての空き調理部の温度に違いがない（空き調理部の温度がすべて同一）であると判定し、かつ、ステップＳ２０１５において、おすすめ判定部１０７が、記憶部１０６からから取得した調理能力情報をもとに、すべての空き調理部の最高出力値に違いがない場合（空き調理部の最高出力値がすべて同一）であると判定した場合は、「温度も最高出力値も同じ」場合に相当し、ステップＳ２０４２に進む。
【０１２８】
ステップＳ２０４２は、「温度も最高出力値も同じ」場合に相当するため、おすすめ判定部１０７は、記憶部１０６から選択条件情報を取得し、選択条件情報２０００１の図形領域２８２２０の情報である「任意」に従って、空き調理部のうち、あらかじめ固定的に決められた任意の調理部を選択し、この空き調理部がおすすめすべき調理部である旨を提示情報として確定し、ステップＳ２０５１に進む。
【０１２９】
ステップＳ２０２７は、ステップＳ２０１３において、温度状態情報をもとに、すべての空き調理部の温度に違いがない（空き調理部の温度がすべて同一）であると判定し、かつ、ステップＳ２０１５において、いずれかの空き調理部の最高出力値の間に違いがあると判定した場合であるので、「最高出力値のみが違う」場合に相当し、おすすめ判定部１０７は、記憶部１０６から選択条件情報を取得し、選択条件情報２０００１の図形領域２７２２０の「低出力」に従い、調理設定情報で示された調理が最高出力値が高出力である調理部のほうがより適切に調理できると判断できないため、ステップＳ２０２８に進む。
【０１３０】
ステップＳ２０２８は、ステップＳ２０２７と同様に「最高出力値のみが違う」場合に相当し、おすすめ判定部１０７は、選択条件情報２０００１の図形領域２７２２０の「低出力」に従い、調理設定情報で示された調理が最高出力値が低出力である調理部のほうがより適切に調理できると判断し、ステップＳ２０４０に進む。
【０１３１】
ステップＳ２０１３において、おすすめ判定部１０７が、温度検知部１０５から取得した温度状態情報をもとに、いずれかの空き調理部の温度の間に違いがあると判定し、かつ、ステップＳ２０１４において、おすすめ判定部１０７が、記憶部１０６からから取得した調理能力情報をもとに、すべての空き調理部の最高出力値に違いがない場合（空き調理部の最高出力値がすべて同一）であると判定した場合は、「温度のみが違う」場合に相当し、ステップＳ２０２５に進む。
【０１３２】
ステップＳ２０２５は、「温度のみが違う」場合に相当し、おすすめ判定部１０７は、記憶部１０６から選択条件情報を取得し、選択条件情報２０００１の図形領域２６２２０の「低温」に従い、調理設定情報で示された調理が高温である調理部のほうがより適切に調理できると判断できないため、ステップＳ２０２６に進む。
【０１３３】
ステップＳ２０２６は、ステップＳ２０２５と同様に「温度のみが違う」場合に相当し、おすすめ判定部１０７は、選択条件情報２０００１の図形領域２６２２０の「低温」に
従い、調理設定情報で示された調理が低温である調理部のほうがより適切に調理できると判断し、ステップＳ２０３７に進む。
【０１３４】
ステップＳ２０１３において、おすすめ判定部１０７が、温度検知部１０５から取得した温度状態情報をもとに、いずれかの空き調理部の温度の間に違いがあると判定し、かつ、ステップＳ２０１４において、おすすめ判定部１０７が、記憶部１０６からから取得した調理能力情報をもとに、いずれかの空き調理部の最高出力値の間に違いがあると判定した場合は、「温度と最高出力値がともに違う」場合に相当し、ステップＳ２０２１に進む。
【０１３５】
ステップＳ２０２１は、「温度と最高出力値がともに違う」場合に相当し、おすすめ判定部１０７は、記憶部１０６から選択条件情報を取得し、温度状態情報および調理能力情報から「高温＝高出力かつ低温＝低出力」と判定できる場合は、選択条件情報２０００１の図形領域２４２２０の「低温＆低出力」に従い、調理設定情報で示された調理が高温かつ最高出力値が高出力である調理部のほうがより適切に調理できると判断できないため、ステップＳ２０２２に進み、温度状態情報および調理能力情報から「高温＝低出力かつ低温＝高出力」と判定できる場合は、選択条件情報２０００１の図形領域２５２２０の「高温＆低出力」に従い、調理設定情報で示された調理が高温かつ最高出力値が高出力である調理部のほうがより適切に調理できると判断できないため、ステップＳ２０２２に進む。
【０１３６】
ステップＳ２０２２は、ステップＳ２０２１と同様に「温度と最高出力値がともに違う」場合に相当し、おすすめ判定部１０７は、温度状態情報および調理能力情報から「高温＝高出力かつ低温＝低出力」と判定できる場合は、選択条件情報２０００１の図形領域２４２２０の「低温＆低出力」に従い、調理設定情報で示された調理が高温かつ最高出力値が低出力である調理部のほうがより適切に調理できると判断できないため、ステップＳ２０２３に進み、温度状態情報および調理能力情報から「高温＝低出力かつ低温＝高出力」と判定できる場合は、選択条件情報２０００１の図形領域２５２２０の「高温＆低出力」に従い、調理設定情報で示された調理が高温かつ最高出力値が低出力である調理部のほうがより適切に調理できると判断できるため、ステップＳ２０３２に進む。
【０１３７】
ステップＳ２０２３は、ステップＳ２０２１およびステップＳ２０２２と同様に「高温＝高出力かつ低温＝低出力」場合に相当し、おすすめ判定部１０７は、温度状態情報および調理能力情報から「高温＝高出力かつ低温＝低出力」と判定できる場合は、選択条件情報２０００１の図形領域２４２２０の「低温＆低出力」に従い、調理設定情報で示された調理が低温かつ最高出力値が高出力である調理部のほうがより適切に調理できると判断できないため、ステップＳ２０２４に進む（本例では、「高温＝低出力かつ低温＝高出力」の場合はステップＳ２０２３の処理は不要のため割愛する）。
【０１３８】
ステップＳ２０２４は、ステップＳ２０２１およびステップＳ２０２２およびステップＳ２０２３と同様に「高温＝高出力かつ低温＝低出力」場合に相当し、おすすめ判定部１０７は、温度状態情報および調理能力情報から「高温＝高出力かつ低温＝低出力」と判定できる場合は、選択条件情報２０００１の図形領域２４２２０の「低温＆低出力」に従い、調理設定情報で示された調理が低温かつ最高出力値が高出力である調理部のほうがより適切に調理できると判断できるため、ステップＳ２０３４に進む（本例では、「高温＝低出力かつ低温＝高出力」の場合はステップＳ２０２４の処理は不要のため割愛する）。
【０１３９】
ステップＳ２０４０は、「最高出力値のみが違う」場合に相当するため、おすすめ判定部１０７は、選択条件情報２０００１の図形領域２７２２０の情報である「低出力」に従って、空き調理部のうち、調理能力情報において最高出力値が低出力のほうである空き調理部を選択し、この空き調理部がおすすめすべき調理部である旨を提示情報として確定し
、ステップＳ２０５１に進む。
【０１４０】
ステップＳ２０３７は、「温度のみが違う」場合に相当するため、おすすめ判定部１０７は、選択条件情報２０００１の図形領域２６２２０の情報である「低温」に従って、空き調理部のうち、温度状態情報において低温のほうである空き調理部を選択し、この空き調理部がおすすめすべき調理部である旨を提示情報として確定し、ステップＳ２０５１に進む。
【０１４１】
ステップＳ２０３２は、「温度と最高出力値がともに違う」場合、かつ、「高温＝低出力かつ低温＝高出力」の場合に相当するため、おすすめ判定部１０７は、選択条件情報２０００１の図形領域２５２２０の情報である「高温＆低出力」に従って、空き調理部のうち、温度条件情報において高温のほうであり、かつ、調理能力情報において最高出力値が低出力のほうである空き調理部を選択し、この空き調理部がおすすめすべき調理部である旨を提示情報として確定するし、ステップＳ２０５１に進む。
【０１４２】
ステップＳ２０３４は、「温度と最高出力値がともに違う」場合、かつ、「高温＝高出力かつ低温＝低出力」の場合に相当するため、おすすめ判定部１０７は、選択条件情報２０００１の図形領域２４２２０の情報である「低温＆低出力」に従って、空き調理部のうち、温度条件情報において低温のほうであり、かつ、調理能力情報において最高出力値が低出力のほうである空き調理部を選択し、この空き調理部がおすすめすべき調理部である旨を提示情報として確定するし、ステップＳ２０５１に進む。
【０１４３】
ステップＳ２０５１は、ステップＳ２０３２、ステップＳ２０３４、ステップＳ２０３７、ステップＳ２０４０、ステップＳ２０４２のいずれかが確定した提示情報をもとに、各ステップで選択されたおすすめすべき調理部をユーザに提示する。
【０１４４】
以上により、第１の発明に加え、調理部の調理能力を鑑みた、ユーザの用途により合致した調理部のおすすめ提示が可能となる。
【０１４５】
（実施の形態３）
本発明の実施の形態３における調理装置の構成は図１に示した実施の形態２における調理装置の構成とまったく同じであるため、以下では、実施の形態２と異なる点のみ説明する。
【０１４６】
おすすめ判定部１０７は、入力受付部１０２から調理設定情報を受け付けることを契機に使用検知部１０４から使用状態情報を取得し、使用状態情報をもとに、すべての調理部が調理不可能の場合または調理可能な調理部が１つのみ場合には実施の形態２と同様の処理を行い、調理可能な調理部が複数存在する場合には各調理部の温度状態情報を取得要求の命令を温度検知部１０５に送出し、温度検知部から温度状態情報を取得する。
【０１４７】
記憶部１０６は、温度状態情報をもとに複数の調理部の中から調理設定情報を調理するのに適した調理部を選択するための選択条件を定義した選択条件情報および複数の調理部に対する各々の調理能力である調理能力情報を保持している。さらに、実施の形態３における調理装置では、選択条件情報をもとに一意に決定できる各おすすめすべき調理部の情報に紐付く情報として、おすすめすべき調理部をおすすめした理由であるおすすめ理由情報を保持している。
【０１４８】
さらに、おすすめ判定部１０７は、記憶部１０６から選択条件情報および調理能力情報およびおすすめ理由情報を取得し、調理設定情報および温度状態情報および調理能力情報をもとに、選択条件情報に従って、複数の調理部の中から調理設定情報を調理するのに適
した調理部を判定し、ユーザにおすすめすべき調理部を決定し、さらに、おすすめ理由情報に従って、そのおすすめすべき調理部に対応するおすすめ理由を決定し、おすすめすべき調理部、および、おすすめ理由を提示情報としておすすめ提示部１０８に送出する。
【０１４９】
おすすめ提示部１０８は、おすすめ判定部１０７から取得した提示情報の内容に従い、ユーザに対し、調理不可能、または、唯一調理可能な調理部を提示、または、おすすめすべき調理部を提示し、合わせておすすめ理由を提示する。
【０１５０】
以降の実施の形態３の説明においては、実施の形態２の説明で使用した図５に示した選択条件情報２０００１を実施の形態３でも使用する場合を前提に説明する。
【０１５１】
図６は、本発明の実施の形態３におけるおすすめ理由情報の一例を概念的に示した図である。
【０１５２】
具体的には、図６全体を示すおすすめ理由情報３０００１は、図５に示した選択条件情報２０００１において存在する各メニュー名である「ハンバーグ」、「玉子焼き」とそれらに対するおすすめ目的である「早く調理」、「おいしく調理」と、それら各メニュー名とそれらのそれぞれのおすすめ目的に対する各おすすめ条件「高温＆高出力」（図形領域２４１１０、図形領域２４１２０、図形領域２４２１０に相当）、「高温＆低出力」（図形領域２５２２０に相当）、「低温＆高出力」（（図形領域２５１１０、図形領域２５１２０、図形領域２５２１０に相当）、「低温＆低出力」（図形領域２４２２０に相当）、「高温」（図形領域２６１１０、図形領域２６１２０、図形領域２６２１０に相当）、「低温」（図形領域２６２２０に相当）、「高出力」（図形領域２７１１０、図形領域２７１２０、図形領域２７２１０に相当）、「低出力」（図形領域２７２２０に相当）、「任意」（図形領域２８１１０、図形領域２８１２０、図形領域２８２１０、図形領域２８２２０に相当）に対する各おすすめ理由によって構成されている。
【０１５３】
図６では、おすすめ理由が「−」の箇所は図５に示した選択条件情報２０００１では登場しない（メニュー名とおすすめ目的とおすすめ条件の組み合わせからおすすめ理由を提示することがない）ものを表している。
【０１５４】
さらに、図６では、以降の図にて説明する、おすすめ条件「高温＆高出力」についてのおすすめ理由を示す図形領域３９０００の中でも、メニュー名「ハンバーグ」かつおすすめ目的「早く調理」かつおすすめ条件「高温＆高出力」の場合のおすすめ理由を示す図形領域３９１１１、および、メニュー名「玉子焼き」かつおすすめ目的「おいしく調理」かつおすすめ条件「低温＆低出力」の場合のおすすめ理由を示す図形領域３９２２１のみについておすすめ理由を記載している。その他の場合についてのおすすめ理由も含め、本来、各メニュー名、および、メニュー名に対応する各おすすめ目的、および、それらに対応する各おすすめ条件に対するすべてのおすすめ理由が、異なった情報として個別に用意されており（ただし、同一のおすすめ理由であってもよい）、すべてのおすすめ理由が図形領域３９０００に記載されているべきものであるが、本実施の形態の説明に特化した図形領域３９１１１および図形領域３９２２１のみのおすすめ理由のみを図形領域３９０００に記載し、それ以外の説明に使用しない場合のおすすめ理由は簡略化のため図形領域３９０００では省略し、前述の意図で省略していることを示すため、図形領域３９０００においてそれぞれのおすすめ理由の箇所に「略」と表記している。
【０１５５】
図６において、本例では、図形領域３９１１１、図形領域３９２２１は、ユーザに提示する提示情報であるおすすめ理由の文字列情報が保持されており、図形領域３９１１１、図形領域３９２２１におけるＸはおすすめすべき調理部の温度であり、Ｙはおすすめすべき調理部の最高出力値であり、これらはおすすめ理由情報として固定的な情報として保持
しているわけでなく、Ｘは温度状態情報から抽出した値を、Ｙは調理能力情報から抽出した値を用いて提示情報とする。
【０１５６】
図７は、本発明の実施の形態３における「早く調理」の場合のおすすめ理由の提示の一例を概念的に示す図である。
【０１５７】
図７は、図５に示した選択条件情報２０００１に対し、図６に示したおすすめ理由情報３０００１が記憶部１０６で保持されており、調理設定情報として、メニュー名「ハンバーグ」、おすすめ目的「早く調理」が設定され、「高温＆高出力」の調理部がおすすめすべき調理部として決定された場合の例である。
【０１５８】
図７において、おすすめ理由提示画面１００００１は、図形領域１１０００１、図形領域１１０００２、図形領域１１０００３、図形領域１１０００４によって構成され、それぞれ、メニュー名、おすすめ目的、おすすめすべき調理部、おすすめ理由に対応する。
【０１５９】
おすすめ判定部１０７は、記憶部１０６から選択条件情報および調理能力情報およびおすすめ理由情報を取得し、調理設定情報であるメニュー名「ハンバーグ」およびおすすめ目的「早く調理」および温度状態情報および調理能力情報をもとに、選択条件情報２０００１に従って決定されたおすすめ条件「高温＆高出力」に該当する調理部（本例では「左コンロ」としている）、および、おすすめ理由情報３０００１に従って決定されたメニュー名「ハンバーグ」およびおすすめ目的「早く調理」およびおすすめ条件「高温＆高出力」に対応し、図形領域３９１１１が示すおすすめ理由に加えＸに温度状態情報から抽出したおすすめすべき調理部の温度（本例では、８０［度］）をＹに調理能力情報から抽出した最高出力値（本例では、１０００［ワット］）を合わせ込んだおすすめ理由を提示情報としておすすめ提示部１０８に送出する。
【０１６０】
おすすめ提示部１０８は、おすすめ判定部１０７から取得した提示情報の内容に従い、図形領域１１０００１にメニュー名「ハンバーグ」を、図形領域１１０００２におすすめ目的「早く調理」を、図形領域１１０００３におすすめすべき調理部「左コンロ」を提示し、合わせて、図形領域１１０００４におすすめ理由「ハンバーグは、高温（現在８０度）かつ高出力（１０００ワット）な上記コンロがおすすめです。加熱時間が短縮できるため、通常の調理時間より早く調理可能です。」を提示する。
【０１６１】
図８は、本発明の実施の形態３における「おいしく調理」の場合のおすすめ理由の提示の一例を概念的に示す図である。
【０１６２】
図８は、図５に示した選択条件情報２０００１に対し、図６に示したおすすめ理由情報３０００１が記憶部１０６で保持されており、調理設定情報として、メニュー名「玉子焼き」、おすすめ目的「おいしく調理」が設定され、「低温＆低出力」の調理部がおすすめすべき調理部として決定された場合の例である。
【０１６３】
図８において、おすすめ理由提示画面２００００１は、図形領域２１０００１、図形領域２１０００２、図形領域２１０００３、図形領域２１０００４によって構成され、それぞれ、メニュー名、おすすめ目的、おすすめすべき調理部、おすすめ理由に対応する。
【０１６４】
おすすめ判定部１０７は、記憶部１０６から選択条件情報および調理能力情報およびおすすめ理由情報を取得し、調理設定情報であるメニュー名「玉子焼き」およびおすすめ目的「おいしく調理」および温度状態情報および調理能力情報をもとに、選択条件情報２０００１に従って決定されたおすすめ条件「低温＆低出力」に該当する調理部（本例では「右コンロ」としている）、および、おすすめ理由情報３０００１に従って決定されたメニ
ュー名「玉子焼き」およびおすすめ目的「おいしく調理」およびおすすめ条件「低温＆低出力」に対応し、図形領域３９１１１が示すおすすめ理由に加えＸに温度状態情報から抽出したおすすめすべき調理部の温度（本例では、１５［度］）をＹに調理能力情報から抽出した最高出力値（本例では、８００［ワット］）を合わせ込んだおすすめ理由を提示情報としておすすめ提示部１０８に送出する。
【０１６５】
おすすめ提示部１０８は、おすすめ判定部１０７から取得した提示情報の内容に従い、図形領域２１０００１にメニュー名「玉子焼き」を、図形領域２１０００２におすすめ目的「おいしく調理」を、図形領域２１０００３におすすめすべき調理部「右コンロ」を提示し、合わせて、図形領域２１０００４におすすめ理由「玉子焼きは、低温（現在１５度）かつ低出力（８００ワット）な上記コンロがおすすめです。熱が過剰に通りすぎないため、外側はいい焼き色で、中身はふんわり焼きやすいです。」を提示する。
【０１６６】
図７、図８において、おすすめすべき調理部の名称として「左コンロ」「右コンロ」を用いたが、調理部の名称の情報は、調理能力情報の一情報として調理能力に紐付けて保持しておくことを想定しているが、おすすめすべき調理部をユーザが一意識別できる名称を他の情報として記憶部１０６に保持しておいてもよい。
【０１６７】
以上により、おすすめ提示の際に、ユーザは、おすすめ理由をもとにユーザの用途におすすめされた調理部が合致しているか否かを確認し、納得した上で調理部を使用することが可能となる。
【０１６８】
なお、本発明の実施の形態１乃至３において、調理装置１１は、ガスコンロや電磁調理器などであり、調理部１０１ａ、調理部１０１ｂは、電磁調理器などに複数配置されている個別の加熱装置に該当すると例をあげて説明したが、調理装置１１が、調理対象物を加熱するための装置ではなく、調理対象物を常温より早く冷ましたり、調理対象物をよりおいしく味を染み込ませられるような温度変化で冷ますことができるような調理対象物を冷却する冷却調理を行う装置であり、そこに備わる調理部が、調理対象物を加熱する加熱機能を有する加熱装置ではなく、冷蔵庫の冷蔵機能や冷凍機能や急速冷凍機能などに代表されるような調理対象物を冷却する冷却機能を有する冷却装置であってもよい。また、複数の調理部において、各々の調理部が加熱機能と冷却機能の両方を兼ね備えていてもよく、また、複数の調理部において、加熱機能のみを備えているものと冷却機能のみを備えているものと加熱機能および冷却機能の両方を備えているものが混在していてもよい。
【０１６９】
なお、本発明の実施の形態１乃至３において、調理設定情報として、メニュー名を例にあげて説明したが、おすすめ目的以外の調理設定情報は、調理対象物を調理するために調理装置に調理工程が組み込まれている場合のメニュー名、調理対象物を調理するために調理装置と連携して用意されているレシピのメニュー名、同レシピの調理手順を示した調理工程の情報、同レシピの調理に用いる材料の情報、調理対象物を調理する際の火力および冷却力の値や設定温度やタイマー設定値などの情報、調理対象物を調理する際の設定温度などの調理能力の情報、など、調理対象物を調理するために設定する他の情報であってもよい。また、調理設定情報は、調理しようとする１つの調理対象物に対し、設定しようとする単一の情報だけでなく、上記のような複数の情報が混在または組み合わさった調理設定内容を表すものであってもよく、その場合は、選択条件情報として、複数の調理設定内容の組み合わせによっておすすめ条件を保持し、その選択条件情報によって、おすすめすべき調理部を決定することも可能である。
【０１７０】
なお、本発明の実施の形態１乃至３において、おすすめ目的は、なるだけ早く調理できる調理部をおすすめすることであるという意味の「早く調理」、なるだけおいしく調理できる調理部をおすすめすることであるという意味の「おいしく調理」を例にあげて説明し
たが、おすすめ目的は、適した調理部で調理するほうが他の調理部で調理する場合より微細な加熱や冷却の調整が可能であること、適した調理部で調理するほうが他の調理部で調理する場合より微細な温度調整が可能であること、適した調理部で調理するほうが他の調理部で調理する場合よりきれいな焼き具合で調理することが可能であること、適した調理部で調理するほうが他の調理部で調理する場合より調理にかかる料金（電気料金やガス料金など）が少ないこと、適した調理部で調理するほうが他の調理部で調理する場合より調理にかかる消費エネルギーが少ないこと、適した調理部で調理するほうが他の調理部で調理する場合より調理における二酸化炭素の排出量が少ないこと、など、適した調理部をおすすめする他の事象であってもよい。
【０１７１】
なお、本発明の実施の形態１乃至３において、調理装置に存在する調理部は２つのみが存在する例をあげて説明したが、調理装置に３つ以上の調理部が存在する場合でも、使用検知部１０４が存在する調理部が使用中か否かを検知し、温度検知部１０５が存在する調理部の温度を検知し、調理設定情報および調理能力情報および選択条件情報が存在する調理部に対応する情報を記憶部１０６に保持し、おすすめ判定部１０７が同等の仕組みでおすすめすべき調理部を決定するようにすれば、本発明の効果を適用可能である。
【０１７２】
なお、本発明の実施の形態２乃至３において、調理能力情報は、調理部の最高出力値を例にあげて説明したが、調理能力情報は、調理部の定格出力値、調理部に指示可能な火力または冷却力の強さの段階数、調理部に指示可能な温度の段階数、調理部でタイマー設定が可能か否かの能力情報、調理部で調理可能な調理器具の素材、調理部で調理可能な調理器具の形状、調理部で特定の調理方法が調理可能か否かの情報（例えば、揚げ物調理、焼き物調理、など）、など、調理部の調理能力を示す他の情報であってもよい。また、調理能力情報は、調理部に対する、単一の調理能力だけでなく、上記のような複数の調理能力が混在または組み合わさった情報であってもよく、その場合は、選択条件情報として、複数の調理能力の組み合わせによっておすすめ条件を保持し、その選択条件情報によって、おすすめすべき調理部を決定することも可能である。
【０１７３】
なお、本発明の実施の形態１乃至３において、上記の通り、調理設定情報は、調理しようとする１つの調理対象物に対し、設定しようとする単一の情報だけでなく、上記のような複数の情報が混在または組み合わさった調理設定内容を表すものであってもよく、また、調理能力情報は、調理部に対する、単一の調理能力だけでなく、上記のような複数の調理能力が混在または組み合わさった情報であってもよく、その場合は、選択条件情報として、これらすべての情報の組み合わせによっておすすめ条件を保持し、その選択条件情報によって、おすすめすべき調理部を決定することも可能である。
【０１７４】
なお、本発明の実施の形態１乃至３において、図２、図３、図４、図５を用いて記載した判定の方法は一例であり、他の判定方法を用いてもよい。例えば、３つの空き調理部がある場合に、それぞれの調理部の温度状態が高温、中温、低温と切り分けることができ、かつ、それぞれの調理部の調理能力が高出力、中出力、低出力の３種類が存在する場合、選択条件情報には各々の調理設定情報に対して一意に「高温＆高出力」「中温＆低出力」などいずれかをおすすめできる情報があればよく、実施の形態１乃至３や図２、図３、図４、図５に書いた判定方法が必要なわけではない。すなわち、例えば、図３には存在しない「中温＆中出力」などおすすめ条件が何らかの理由で最もおすすめする調理部であってもよく、かつ、温度なども細かく条件分岐させるならば、想定できるすべてのおすすめ条件が静的な選択条件情報で表現可能である。
【０１７５】
なお、本発明の実施の形態１乃至３において、選択条件情報を用いた判定の方法は一例であり、あらかじめ既知の有限個の調理対象物を調理するために設定可能なすべての情報が事前に確定しうる調理設定情報と、調理装置に存在するすべての調理部に対する事前に
確定しうる調理能力情報と、温度状態情報を入力とし、おすすめ条件を出力しうる事前に確定しうる事前に保持している算出式によっておすすめすべき調理部を判定かつ抽出してもよい。また、上述の各種情報を入力とし、上述の算出式が出力するおすすめ条件を網羅的に選択条件情報として保持しておくことによって本願を実現してもよい。
【０１７６】
なお、本発明の実施の形態３において、図５、図６、図７で示したおすすめ理由の内容は一例であり、あらかじめ既知の有限個の調理対象物を調理するために設定可能なすべての情報が事前に確定しうる調理設定情報と、調理装置に存在するすべての調理部に対する事前に確定しうる調理能力情報と、温度状態情報を入力とし、これらの入力情報をもとに、事前に確定しうる事前に保持している算出式によって出力しうる情報をおすすめ理由に合わせてユーザに提示してもよい。すなわち、例えば、図７に示した状況において、調理設定情報に調理対象物であるハンバーグを調理するために想定されている調理時間Ａとその調理時間Ａがかかるとした根拠となる条件Ｊ（調理時間Ａを事前に固定的に見積もった際の特定の調理部の最大出力値や温度など）があり、実際の今の状態を含めた条件Ｋ（おすすめすべき調理部としておすすめされた調理部の最大出力値や現在の温度など）のもとでの調理時間Ｂを、調理時間Ａと条件Ｊと条件Ｋを入力として算出できる算出式Ｐを事前に保持しておけば、例えば、条件Ｊ（最大出力値８００ワットかつ温度１５度）の場合に想定されるハンバーグの調理時間Ａが２５分である場合、算出式Ｐによって、条件Ｋ（最大出力１０００ワットかつ温度８０度）の場合の調理時間Ｂが２０分と算出できる場合は、図７の図形領域１１０００４のおすすめ理由の内容に合わせて、さらに、「焼き時間が２５分から２０分になり、調理時間を５分短縮できます。」のような提示をしてもよい。
【０１７７】
なお、本発明の実施の形態１乃至３において、入力受付部１０２は、調理対象物を調理するための調理設定情報の入力を受け付けると記載したが、この入力は、ユーザが調理装置へ直接的な入力操作を行うことで実現してもよいし、ユーザが外部端末に入力操作を行い遠隔地から調理装置へ調理設定情報を送出することなどをもって実現してもよい。
【０１７８】
なお、本発明の実施の形態１乃至３において、おすすめ提示部１０８は、おすすめ判定部１０７から取得した提示情報の内容に従い、ユーザに対し、調理不可能、または、唯一調理可能な調理部を提示、または、おすすめすべき調理部を提示すると記載したが、この提示は、調理装置上に具備するおすすめ提示部によってユーザに対し提示を行うことで実現してもよいし、調理装置から遠隔地にある外部端末に対し提示情報を送出し、外部端末上でユーザに対し提示をすることなどをもって実現してもよい。
【０１７９】
なお、本発明の実施の形態１乃至３において、調理装置に設定可能な調理設定情報、選択条件情報、調理能力情報、おすすめ理由情報などの事前に調理装置内に保持しておくべき情報は、インターネット回線からのダウンロードによる書き換えや、無線通信などによる書き換え、外部メモリを調理装置に挿入することによる書き換えや、調理装置に対し書き換え装置を接続することによる書き換え、その他の各種書き換え方法によって逐次書き換え可能としてもよい。
【産業上の利用可能性】
【０１８０】
以上のように、本発明にかかる調理装置は、複数の調理部を有する調理機器において、ユーザの意図により合致したユーザがより調理しやすいようにするための情報をおすすめ提示する場合に有用である。また、機器本体に対する直接的な操作と提示だけでなく、通信端末などを用いた遠隔操作による操作と提示にも応用できる。
【符号の説明】
【０１８１】
１１  調理装置
１０１ａ，１０１ｂ  調理部
１０２  入力受付部
１０３  制御部
１０４  使用検知部
１０５  温度検知部
１０６  記憶部
１０７  おすすめ判定部
１０８  おすすめ提示部
【図１】
2014175288.tif 000003
【図２】
2014175288.tif 000004
【図３】
2014175288.tif 000005
【図４】
2014175288.tif 000006
【図５】
2014175288.tif 000007
【図６】
2014175288.tif 000008
【図７】
2014175288.tif 000009
【図８】
2014175288.tif 000010